(57)【要約】【課題】  この発明は、室内に吊り下げて衣類などの洗濯物を乾燥させることができるロール式面状発熱ヒーターに関する。【解決手段】  ロール式面状発熱ヒーターは、回転軸を軸支して、該回転軸に沿ってその上方に設けられた基枠部と、ナノカーボンセメントを塗布して４５℃から６０℃の温度で発熱する面状発熱シートと、該面状発熱シートを前記回転軸の回転によってロール状に巻取りおよび垂直に繰出すための回転手段と、前記基枠部を支持部材に掛止める掛止手段と、前記基枠部に一体にまたは着脱可能に設けられて、展開した前記面状発熱シートと対峙して洗濯物を掛止めうる保持部材とを有することを特徴とする。【選択図】  図１
2011167212.tif 000002
【特許請求の範囲】
【請求項１】
略水平に延びる回転軸を軸支すると共に、該回転軸に沿ってその上方離間位置に設けられた基枠部と、
前記回転軸に上端を連結したシートにナノカーボンセメントが塗布された可撓性を有する面状発熱シートと、
該面状発熱シートを前記回転軸の回転によってロール状に巻取りおよび垂直に繰出すための回転手段と、
前記基枠部に設けられて、基枠部を支持部材に掛止める掛止手段と、
前記基枠部に一体にまたは着脱可能に設けられて、展開した前記面状発熱シートと対峙して洗濯物を所定離間位置で掛止めうる保持部材と、
前記面状発熱シートの温度を検出する温度センサーと、
前記面状発熱シートが所定の温度以上に発熱しないように温度を制御する温度制御手段とを備えてなることを特徴とするロール式面状発熱ヒーター。
【請求項２】
面状発熱シートが、ナノカーボンセメントを塗布して４５℃から６０℃の温度で発熱すると共に遠赤外線を発することを特徴とする請求項１に記載のロール式面状発熱ヒーター。
【請求項３】
保持手段が基枠部に固着された枠体からなっていることを特徴とする請求項１または２に記載のロール式面状発熱ヒーター。
【請求項４】
基枠部が左右両側に立設した一対の側壁部を有しており、
該側壁部に保持手段が着脱可能に連結しうることを特徴とする請求項１または２に記載のロール式面状発熱ヒーター。
【発明の詳細な説明】
【技術分野】
【０００１】
この発明は、室内に吊り下げて衣類などの洗濯物を乾燥させることができるロール式面状発熱ヒーターに関する。
【背景技術】
【０００２】
一般に、室内の暖房や室内の洗濯物の乾燥には、各種ヒータが用いられている。
しかし、ストーブを用いる場合は、ストーブ自体が高温になるためその直接に接触しないようにするため、防止手段を設けたり、設置場所に注意を払うなどの必要があった。
また、ファンヒータやパネルヒータを用いる場合は、不使用時であっても設置のために大きなスペースが必要となり、居住性が悪くなる。
そこで、例えば実開平１−１６３７１５号には、耐熱性のあるカーテン地に、鉄箔を所望形状のパターンにエッチング加工した発熱体をアラミド樹脂等からなる上下シートで埋設した発熱シートを貼り付けたカーテン状ヒータが開示されている。
しかし、上記構成では、発熱体は面状とはなるものの、鉄箔を使用するので高温とならないように設定する必要がある。
また、カーテン状ヒータはカーテンに代えて使用するため、衣類などの洗濯物を乾かす場合に、それらを保持する手段が無く、別にハンガースタンドや洗濯ロープなどを用いる必要があった。
【特許文献１】実開平１−１６３７１５号公報
【発明の開示】
【発明が解決しようとする課題】
【０００３】
この発明は上記実情に鑑みてなされたもので、その主たる課題は、室内の暖房や洗濯物の乾燥に用いることができると共に、高熱にならず遠赤外線を発するロール式面状発熱ヒーターであって、洗濯物を乾かす際にはこれらを最適位置に保持しうる保持手段を設けた構造を提供することにある。
【課題を解決するための手段】
【０００４】
上記課題を解決するために、請求項１の発明では、
略水平に延びる回転軸を軸支すると共に、該回転軸に沿ってその上方離間位置に設けられた基枠部と、
前記回転軸に上端を連結したシートにナノカーボンセメントが塗布された可撓性を有する面状発熱シートと、
該面状発熱シートを前記回転軸の回転によってロール状に巻取りおよび垂直に繰出すための回転手段と、
前記基枠部に設けられて、基枠部を支持部材に掛止める掛止手段と、
前記基枠部に一体にまたは着脱可能に設けられて、展開した前記面状発熱シートと対峙して洗濯物を所定離間位置で掛止めうる保持部材と、
前記面状発熱シートの温度を検出する温度センサーと、
前記面状発熱シートが所定の温度以上に発熱しないように温度を制御する温度制御手段とを備えてなることを特徴とする。
また、請求項２の発明では、
前記面状発熱シートが、ナノカーボンセメントを塗布して５０℃から７０℃の温度で発熱すると共に遠赤外線を発することを特徴とする。
請求項３の発明では、
前記保持手段が基枠部に固着された枠体からなっていることを特徴とする。
更に、請求項４の発明では、
前記基枠部が左右両側に立設した一対の側壁部を有しており、
該側壁部に保持手段が着脱可能に連結しうることを特徴とする。
【発明の効果】
【０００５】
可撓性を有する面状発熱ヒーターを用い、不使用時にはロール状に巻き取ることができるので、場所をとらずに簡単に設置でき、またコンパクトに収納することができる。
また、洗濯物などを乾燥させる場合には、保持手段を用いて掛止めることで、騒音や振動など一切無く、簡単に且つ最適な位置で乾燥を行うことができる。
更に、面状発熱ヒータとしてシートにナノカーボンセメントが塗布されているので、輻射光線発熱から大量に遠赤外線を発生させることができ水分子を切断することができ、全面が４５℃から６０℃程度の低温であって乾燥することができ、極めて安全である。
定格電力２００Ｗ、消費電力３５０Ｗで、洗濯物の脱水時間により異なるが、平均乾燥時間約６時間で乾燥させることができる。
また、洗濯物の乾燥だけでなく、脱衣場やトイレなどの室内の暖房としても兼用することができる。
【発明を実施するための最良の形態】
【０００６】
以下に、この発明のロール式面状発熱ヒーターの好適な実施例を図面を参照しながら説明する。
【実施例１】
【０００７】
［ロール式面状発熱ヒーター］
ロール式面状発熱ヒーター１は、図１および図２に示すように、回転軸２を軸支する基枠部３と、前記回転軸２に連結した面状発熱シート４と、該面状発熱シート４を回転軸２に巻取りまたは繰出すための回転手段５と、前記基枠部３を室内の支持部材に掛止める掛止手段６および洗濯物を掛止める保持部材７と、前記面状発熱シートの温度を検出する温度センサー８と、温度制御手段９とを備えている。
【０００８】
［基枠部］
基枠部３は、略水平に延びる回転軸２をその左右両端で軸支する一対の軸受部３ａ、３ｂと、前記回転軸２に沿ってその上方離間位置に延びる基枠部本体３ｃとからなっている。
該基枠部本体３ｃは、図示例の場合、正面側と裏面側とで平行に対峙する一対の横長で起立した側板部３１、３２と、該側板部３１，３２間の下部を連結する底板部３３とからなっている（図３参照）。
前記側板部３１、３２はその上端が内側に略直角に折り返された内向き突部３１ａ、３２ａが形成されている。
上記基枠部３の構造は、上記実施例に限らず、また回転軸２の上部を略断面半円状に覆うカバー（図示せず）を設けてもよい。
【０００９】
［面状発熱シート］
面状発熱シート４は、可撓性を有するシートであって、上端を前記回転軸２に連結しており、回転軸２の回転によって巻取り乃至繰出し可能となっている。
本実施例では、綿布の両側に極細の導電線を織り込んだ特殊布に、ナノカーボンセメント塗料を塗布含浸させている。
【００１０】
上記塗布面にはポリエチレンフイルムをラミネートして絶縁し、保護することが好ましい。
さらに熱効率を有効利用するためにはアルミ蒸着シートを裏打ちしてもよい。
あるいは別体のアルミ蒸着シート（図示せず）をセットするものでもよい。
【００１１】
このように構成された面状発熱シート４は、４５℃から６０℃の温度で発熱し、それ以上の高温とならないので安全性が高く、また大量の遠赤外線（波長６〜１２ミクロン）を発生させることができる。
この発明では、ナノカーボンセメント塗料を用いたものであってればよく、上記構成に特に限定されるものではない。
【００１２】
［回転手段］
回転手段５は、回転軸２を回転させる装置であって、本実施例では一例としてウォームギヤを用いている。
回転軸２の先端にウォーム２ａを形成しておき、該ウォーム２ａと噛合するようにウォームホイール５ａを設け、該ウォームホイール５ａの回転軸が前記一方の軸受部３ａに設けられた円板５１の中心に固定されている。
【００１３】
該円板５１の偏心位置には操作用の摘み部５２が外向きに突設されている。
そこで、摘み部５２を正逆回転することで円板５１を介してウォームホイール５ａを回転し、この回転によりウォーム２ａを介して回転軸２を正逆に回転することができる。
これにより、前記面状発熱シート４を回転軸２にロール状に巻き付けたり（図２参照）、繰り出して下向きに展開（図１参照）させることができる。
【００１４】
上記実施例ではウォームギヤを用いたが、この発明では、回転軸２にスプロケットを設けチェーン２を噛合させてスプロケットを介して回転軸２を正逆方向に回転させる構成、あるいはロールカーテンに見られるように回転軸を巻取り回転方向に付勢する付勢機構と、展開位置で回転軸の回転を固定するロック機構を備えて、自動的に巻き取りしうる構成など、公知の構造を用いることができる。
【００１５】
［掛止手段］
掛止手段６は、ロール式面状発熱ヒーター１を室内に掛止めるための構造である。
図示例では、掛止手段６の一例として前記内向き突部３１ａ、３２ａを上下で挟む一対の連結板６１、６２と、該連結板６１、６２に穿設されて上下に連通可能なネジ穴６１ａ、６２ａと、該ネジ穴６１ａ、６２ａと螺合するネジを下端に有した掛止フック６３とからなっている（図３参照）。
図示例の場合、 基枠部３の左右両側寄りにそれぞれ一対の掛止手段６を設けており、室内の支持部材となる例えばヒートンフックや釘、ポールや紐その他の室内に固定された部材に前記掛止フック６３を着脱可能に掛止めることができる。
【００１６】
［保持部材］
保持部材７は、前記基枠部３に一体に固定され、または基枠部３に着脱可能に設けられて、洗濯物を前記面状発熱シート４と対峙すると共に所定の距離だけ離間した位置で保持するものである。
図１〜図３に示した保持部材７はコ字状のフレームからなっており、左右両端が前記基枠部３の側板部３１、３２に固定されている。
【００１７】
ここで保持部材７は、前記ハンガーＨや洗濯挟みの取付位置を、前記面状発熱シート４と所定距離だけ離間するように設定することが好ましい。
また、ハンガーや洗濯挟みは、これに掛けた洗濯物が面状発熱シート４と対峙するように前記保持部材７に取り付けることが好ましい。
これにより、保持部材７にハンガーＨや洗濯挟みなどを取り付けて、洗濯物を展開した面状発熱シート４と所定位置で対峙するように吊り下げることができる。
【００１８】
図４に示すロール式面状発熱ヒーター１では、図中左に示す保持部材７は基枠部３の側板部３１に、適宜間隔で多数の縦溝７０を形成しておき、該縦溝７０に杆材からなってハンガーＨなどを掛止めることができる保持部材７の基端を略Ｌ字状に曲折した係止部７１を挿入して掛止める構成となっている。
また、図中右に示す他の例の保持部材７では、その基端に断面が略鉤状の係止部７２を形成しておき、側板部３２と内向き突部３２ａを覆うように掛止める構成となっている。
【００１９】
図５に示す保持部材７では、基枠部３の側板部３１に略蟻溝状のガイドレール７０’が固定されている。
そして保持部材７の基端には、前記ガイドレール７０’内を摺動可能な摺動部７３が形成されており、ガイドレール７０’に沿って任意の位置に保持部材７を配置することができる。
【００２０】
図６に示す保持部材７では、左右両側と下部が塞がった蟻溝状の受溝部７０”が、基枠部３の側板部３１に縦向きに多数固着されており、保持部材７の基端には前記受溝部７０”に上から挿入可能な係止部７４が一体に形成されている。
このように保持部材７を用いることで、洗濯物を展開した面状発熱シート４に対して所定の距離で対峙して吊り下げることができるので、確実に乾かすことができる。
【００２１】
［温度センサー］
温度センサー８は、前記面状発熱シート４の温度を検出するもので、温度制御手段９で６０℃を超えた場合に温度制御手段９により通電を止める構成となっている。
この場合、前記温度センサー８が面状発熱シート４が４５℃未満になるか否か検出し、４５℃未満になると温度制御手段９で通電を再開する構成としてもよい。
【００２２】
本実施例では、前記面状発熱シート４の下端に錘りとなる下部枠１０が固着されており、該下部枠１０内に前記温度センサー８と接続された温度制御手段９を内蔵している。
なお、符号１１は通電スイッチ、１２は電源ケーブルの接続部である。
この発明は、上記実施例に限定されるものではなく、その他要するに、この発明の要旨を変更しない範囲で種々設計変更することができる。
【図面の簡単な説明】
【００２３】
【図１】面状発熱シートを繰り出して展開した状態のロール式面状発熱ヒーターの正面図である。
【図２】面状発熱シートをロール状に巻き取った状態のロール式面状発熱ヒーターの正面図である。
【図３】基枠部の断面を示す要部断面図である。
【図４】保持部材の異なる実施例を示す要部断面図である。
【図５】更に別の保持部材の実施例を示す要部断面図である。
【図６】ほかの保持部材の実施例を示す要部断面図である。
【符号の説明】
【００２４】
１    ロール式面状発熱ヒーター
２    回転軸
２ａ  ウォーム
３    基枠部
３ａ、３ｂ  軸受部
４    面状発熱シート
５    回転手段
５ａ  ウォームホイール
６    掛止手段
７    保持部材
８    温度センサー
９    温度制御手段
１０    下部枠
１１    通電スイッチ
１２    電源ケーブルの接続部
３１、３２  側板部
３１ａ、３２ａ  内向き突部
５１    円板
５２    摘み部
【図１】
2011167212.tif 000003
【図２】
2011167212.tif 000004
【図３】
2011167212.tif 000005
【図４】
2011167212.tif 000006
【図５】
2011167212.tif 000007
【図６】
2011167212.tif 000008